(57)【要約】【課題】空気調和機の薄型化および小型化を図る。【解決手段】空気入口３および空気出口４を有する本体ケーシング１と、該本体ケーシング１内に配設された熱交換器２とからなる空気調和機において、前記空気出口４に、複数の小型のプロペラファンを前記空気出口４の幅方向に並設して構成されたファンユニット８を配設して、ファンユニット８を構成するプロペラファンを駆動によって室内の空気調和を行い得るようにし、もって本体ケーシング１の薄型化および小型化を図る。【選択図】        図１
2005003244.tif 000002
【特許請求の範囲】
【請求項１】
空気入口（３）および空気出口（４）を有する本体ケーシング（１）と、該本体ケーシング（１）内に配設された熱交換器（２）とからなる空気調和機であって、前記空気出口（４）には、複数の小型のプロペラファン（１０），（１０）・・を前記空気出口（４）の幅方向に並設して構成されたファンユニット（８）を配設したことを特徴とする空気調和機。
【請求項２】
前記ファンユニット（８）を、前記空気出口（４）の前後方向および奥行き方向に回動自在としたことを特徴とする請求項１記載の空気調和機。
【請求項３】
前記ファンユニット（８）を構成する複数のプロペラファン（１０），（１０）・・を、前記空気出口（４）の前後方向および奥行き方向に回動自在としたことを特徴とする請求項１記載の空気調和機。
【請求項４】
前記熱交換器（２）の吸込側には、前記ファンユニット（８）と同一構成の補助ファンユニット（２２）を配設したことを特徴とする前記請求項１、２および３のいずれか一項記載の空気調和機。
【発明の詳細な説明】
【０００１】
【発明の属する技術分野】
本願発明は、壁掛け式の空気調和機に関するものである。
【０００２】
【従来の技術】
例えば、従来からよく知られている壁掛け式の室内機として使用される空気調和機は、図７に示すように、空気入口３および空気出口４を有する本体ケーシング１と、該本体ケーシング１内に配設された熱交換器２とを備え、前記熱交換器に囲まれた空間にクロスフローファン５を配設して構成されている（特許文献１参照）。
【０００３】
【特許文献１】
特開２００１−２０１１７０号公報（図１）。
【０００４】
【発明が解決しようとする課題】
上記のように構成された空気調和機の場合、本体ケーシング１内に熱交換器２とクロスフローファン５とが配設されており、前記空気出口４には、フラップ６やルーバ７を配設して吹出空気流の方向を調整することとされているため、本体ケーシング１の奥行き寸法が大きくならざるを得ないという不具合があった。  本願発明は、上記の点に鑑みてなされたもので、空気調和機の薄型化および小型化を図ることを目的としている。
【０００５】
【課題を解決するための手段】
本願発明では、上記課題を解決するための第１の手段として、空気入口３および空気出口４を有する本体ケーシング１と、該本体ケーシング１内に配設された熱交換器２とからなる空気調和機において、前記空気出口４に、複数の小型のプロペラファン１０，１０・・を前記空気出口４の幅方向に並設して構成されたファンユニット８を配設している。
【０００６】
上記のように構成したことにより、ファンユニット８を構成するプロペラファン１０，１０・・を駆動させると、空気入口３から吸い込まれた室内空気Ｗ１は、熱交換器２を通過する過程で該熱交換器２内を流れる冷媒との熱交換により冷却あるいは加熱されて調和空気Ｗ２となって空気出口４から室内に吹き出され、室内の空気調和に供される。つまり、本体ケーシング１内には熱交換器２のみが存在することとなるため、本体ケーシング１の薄型化および小型化を図ることができる。
【０００７】
本願発明では、さらに、上記課題を解決するための第２の手段として、上記第１の手段を備えた空気調和機において、前記ファンユニット８を、前記空気出口４の前後方向および奥行き方向に回動自在とすることもでき、そのように構成した場合、ファンユニット８全体を回動操作させるだけで、調和空気Ｗ２の吹出方向を自由に調整できる。
【０００８】
本願発明では、さらに、上記課題を解決するための第３の手段として、上記第１の手段を備えた空気調和機において、前記ファンユニット８を構成する複数のプロペラファン１０，１０・・を、前記空気出口４の前後方向および奥行き方向に回動自在とすることもでき、そのように構成した場合、ファンユニット８を構成する複数のプロペラファン１０，１０・・を回動操作させるだけで、調和空気Ｗ２の吹出方向を自由に調整できる。
【０００９】
本願発明では、さらに、上記課題を解決するための第４の手段として、上記第１、第２又は第３の手段を備えた空気調和機において、前記熱交換器２の吸込側に、前記ファンユニット８と同一構成の補助ファンユニット２２を配設することもでき、そのように構成した場合、補助ファンユニット２２による送風力により静圧対応ができる。
【００１０】
【発明の実施の形態】
以下、添付の図面を参照して、本願発明の幾つかの好適な実施の形態について説明する。
【００１１】
第１の実施の形態
図１および図２には、本願発明の第１の実施の形態にかかる空気調和機が示されている。
【００１２】
この空気調和機は、図１に示すように、空気入口３，３および空気出口４を有する本体ケーシング１と、該本体ケーシング１内に配設された熱交換器２とからなっており、前記空気出口４には、ファンユニット８が配設されている。この場合、本体ケーシング１内には、送風装置は省略されている。従って、本体ケーシング１内には、熱交換器２が配設されているのみとなる。
【００１３】
前記ファンユニット８は、図２に示すように、前記空気出口４の幅方向略全幅に亙って配設される細長いケース９内に複数の小型のプロペラファン１０，１０・・を前記空気出口４の幅方向に並設して構成されており、前記空気出口４に対してはステッピングモータ１１，１２（図３参照）により回転軸１３および１４を中心として前後方向（即ち、矢印Ｍ方向）および奥行き方向（即ち、矢印Ｎ方向）に回転自在とされている。符号１５は前記プロペラファン１０，１０・・の駆動制御を行うモータドライブ、１６は前記ステッピングモータ１１，１２の駆動制御を行うモータドライブである。
【００１４】
上記のように構成された空気調和機においては、次のような作用効果が得られる。
【００１５】
ファンユニット８を構成するプロペラファン１０，１０・・を駆動させると、空気入口３，３から吸い込まれた室内空気Ｗ１は、熱交換器２を通過する過程で該熱交換器２内を流れる冷媒との熱交換により冷却あるいは加熱されて調和空気Ｗ２となって空気出口４から室内に吹き出され、室内の空気調和に供される。つまり、本体ケーシング１内には熱交換器２のみが存在することとなるため、本体ケーシング１の薄型化および小型化を図ることができる。
【００１６】
そして、前記ファンユニット８を、前記空気出口４の前後方向（即ち、Ｍ方向）および奥行き方向（即ち、Ｎ方向）に回動させると、ファンユニット８全体を回動操作させるだけで、調和空気Ｗ２の吹出方向を自由に調整できる。つまり、ファンユニット８自体にフラップ機能およびルーバ機能を付与できることとなっているのである。
【００１７】
ところで、上記ファンユニット８を、図４に示すように、前方に吹出口１７ａを有する略球状のファンケーシング１７，１７・・内にプロペラファン１０，１０・・をそれぞれ収納するとともに、前記ケース９には、前記各ファンケーシング１７を回動可能に収納する円弧形状の受け部９ａを形成して構成し、前記ファンケーシング１７，１７・・を回動操作する駆動機構１８を付設するようにしてもよい。該駆動機構１８は、例えばファンケーシング１７，１７・・に接続される作動杆１９，１９・・と該作動杆１９，１９・・を連動させる連結杆２０と該連結杆２０を駆動させるシリンダ２１とにより構成されている。このようにすると、プロペラファン１０，１０・・は、ファンケーシング１７，１７・・とともに回動操作されることとなる。従って、ケース９を回動操作させる必要がなくなるので、ファンユニット８が空気出口４から突出するということがなくなる。
【００１８】
第２の実施の形態
図５には、本願発明の第２の実施の形態にかかる空気調和機が示されている。
【００１９】
この場合、熱交換器２の吸込側には、ファンユニット８と同一構成の補助ファンユニット２２が配設されている。このようにすると、補助ファンユニット２２による送風力により静圧対応ができる。その他の構成および作用効果は、第１の実施の形態におけると同様なので説明を省略する。
【００２０】
第３の実施の形態
図６には、本願発明の第３の実施の形態にかかる空気調和機が示されている。
【００２１】
この場合、本体ケーシング１内の略空間全体に熱交換器２が配設されており、該熱交換器２の吸込側には、ファンユニット８と同一構成の補助ファンユニット２２が配設されている。なお、本実施の形態の場合、空気入口３は本体ケーシング１の上面にのみ形成されている。このようにすると、従来の空気調和機におけると同様の外形寸法のものにあっては能力を大幅に向上できるし、従来の空気調和機におけると同様のの能力のものにあっては外形寸法を大幅に小さくできる。その他の構成および作用効果は第１の実施の形態におけると同様なので説明を省略する。
【００２２】
【発明の効果】
本願発明の第１の手段によれば、空気入口３および空気出口４を有する本体ケーシング１と、該本体ケーシング１内に配設された熱交換器２とからなる空気調和機において、前記空気出口４に、複数の小型のプロペラファン１０，１０・・を前記空気出口４の幅方向に並設して構成されたファンユニット８を配設して、ファンユニット８を構成するプロペラファン１０，１０・・を駆動させることにより、空気入口３から吸い込まれた室内空気Ｗ１が、熱交換器２を通過する過程で該熱交換器２内を流れる冷媒との熱交換により冷却あるいは加熱されて調和空気Ｗ２となって空気出口４から室内に吹き出され、室内の空気調和に供されるようにしたので、本体ケーシング１内には熱交換器２のみが存在することとなり、本体ケーシング１の薄型化および小型化を図ることができるという効果がある。
【００２３】
本願発明の第２の手段におけるように、上記第１の手段を備えた空気調和機において、前記ファンユニット８を、前記空気出口４の前後方向および奥行き方向に回動自在とすることもでき、そのように構成した場合、ファンユニット８全体を回動操作させるだけで、調和空気Ｗ２の吹出方向を自由に調整できる。
【００２４】
本願発明の第３の手段におけるように、上記第１の手段を備えた空気調和機において、前記ファンユニット８を構成する複数のプロペラファン１０，１０・・を、前記空気出口４の前後方向および奥行き方向に回動自在とすることもでき、そのように構成した場合、ファンユニット８を構成する複数のプロペラファン１０，１０・・を回動操作させるだけで、調和空気Ｗ２の吹出方向を自由に調整できる。
【００２５】
本願発明の第４の手段におけるように、上記第１、第２又は第３の手段を備えた空気調和機において、前記熱交換器２の吸込側に、前記ファンユニット８と同一構成の補助ファンユニット２２を配設することもでき、そのように構成した場合、補助ファンユニット２２による送風力により静圧対応ができる。
【図面の簡単な説明】
【図１】本願発明の第１の実施の形態にかかる空気調和機の縦断面図である。
【図２】本願発明の第１の実施の形態にかかる空気調和機におけるファンユニットの拡大斜視図である。
【図３】本願発明の第１の実施の形態にかかる空気調和機における電気的要素の結線図である。
【図４】本願発明の第１の実施の形態にかかる空気調和機におけるファンユニットの変形例を示す断面図である。
【図５】本願発明の第２の実施の形態にかかる空気調和機の縦断面図である。
【図６】本願発明の第３の実施の形態にかかる空気調和機の縦断面図である。
【図７】従来の空気調和機の縦断面図である。
【符号の説明】
１は本体ケーシング、２は熱交換器、３は空気入口、４は空気出口、８はファンユニット、９はケース、１０はプロペラファン、２２は補助ファンユニット。
【図１】
2005003244.tif 000003
【図２】
2005003244.tif 000004
【図３】
2005003244.tif 000005
【図４】
2005003244.tif 000006
【図５】
2005003244.tif 000007
【図６】
2005003244.tif 000008
【図７】
2005003244.tif 000009